(57)【要約】      （修正有）【課題】汎用のスマートフォンのカメラ機能を活用して安価、高品質で作業性の良い内視鏡（特に直視内視鏡）の画像を取得することができ、ベッドサイドでの内視鏡診断の拡大や医師学生等への普及を促進できる携帯端末用ケースや携帯端末ケース用アタッチメントを提供する。【解決手段】本携帯端末用ケースでは、マウントのカメラ側端部を連結する筒状中空のシャフト部と、カメラ用の孔６を有する板状部材７とを有するアタッチメント１と、少なくとも携帯端末のカメラ側の面を嵌合可能に覆って該面にアタッチメントの板状部材のカメラ側の面と固着させ、携帯端末から脱着自在なハウジング部とを備え、マウントを携帯端末ケースに取り付けた際に、内視鏡の接眼レンズの光軸とシャフトの中心軸とハウジング部の孔の中心軸とカメラの光軸とが一致するように位置決めされる。【選択図】図１
2017176489.tif 000002
【特許請求の範囲】
【請求項１】
内視鏡の接眼レンズ用のマウントを携帯端末のカメラに接続するための携帯端末ケースであって、
前記マウントのカメラ側端部を連結する筒状中空のシャフト部と、該シャフト部のカメラ側端部に結合され、前記カメラ用の孔を有する板状部材とを有するアタッチメントと、
少なくとも携帯端末のカメラ側の面を嵌合可能に覆って該面に前記アタッチメントの板状部材のカメラ側の面と固着させ、携帯端末から脱着自在なハウジング部とを備え、
前記ハウジング部にはカメラのレンズを露出させるための孔を有し、前記マウントを携帯端末ケースに取り付けた際に、内視鏡の接眼レンズの光軸と前記シャフトの中心軸と前記ハウジング部の孔の中心軸とカメラの光軸とが一致するように位置決めされる、携帯端末ケース。
【請求項２】
内視鏡接眼レンズ用のマウントを携帯端末のカメラに接続するために携帯端末から脱着自在な携帯端末用ケースの表面に固着する携帯端末ケース用アタッチメントであって、
前記マウントのカメラ側端部を連結する筒状中空のシャフト部と、該シャフト部のカメラ側端部に結合される板状部材とを有するアタッチメントとを備え、
前記マウントを携帯端末用ケースに取り付けた際に、内視鏡の接眼レンズの光軸と前記シャフトの中心軸とカメラの光軸とが一致するように位置決めされる、携帯端末ケース用アタッチメント。
【請求項３】
前記アタッチメント及びハウジング部は剛性素材で構成される、請求項１に記載の携帯端末ケース。
【請求項４】
前記アタッチメントは剛性素材で構成される、請求項２に記載の携帯端末ケース用アタッチメント。
【請求項５】
前記ハウジング部は、これを取付ける携帯端末のカメラ側の角からの突出部分を設け、
該突出部分は、前記アタッチメントを固定した際に、アタッチメントの板部材全体を担持可能となるように前記ハウジング部から円形の一部形状が突出する、請求項１又は３に記載の携帯端末ケース。
【請求項６】
前記アタッチメントは、これを取付ける携帯端末用ケースの携帯端末のカメラ側の角からの突出部分を設け、
該突出部分は、前記アタッチメントを携帯端末用ケースに固定した際に、アタッチメントの板部材全体を担持可能となるように前記ハウジング部から円形の一部形状が突出する、請求項１又は４に記載の携帯端末ケース用アタッチメント。
【請求項７】
前記アタッチメントは、前記ハウジング部の幅方向の少なくとも1/3以上かつ長手方向の少なくとも1/4以上の領域で前記ハウジング部を当接している、請求項５に記載の携帯端末ケース。
【請求項８】
前記アタッチメントは、前記ハウジング部の幅方向の少なくとも1/3以上かつ長手方向の少なくとも1/4以上の領域で前記ハウジング部を当接している、請求項６に記載の携帯端末ケース用アタッチメント。
【請求項９】
前記ハウジング部材は、携帯端末のカメラ側を受容する凹部分を有する第一部材とその反対側を受容する凹部分を有する第二部材とで構成され、
該第一部材と第二部材とは、互いの凹部分を対向させた状態で携帯端末を挟み込んで嵌合的に結合させる、請求項１、３、５又は７に記載の携帯端末ケース。
【請求項１０】
前記ハウジング部材は、携帯端末のカメラ側を受容する凹部分を有し、一端が該凹部分の底面に固着され、他端が前記凹部分の外枠を超えて幅方向外部まで延びる帯状部材を有する、請求項１、３、５又は７に記載の携帯端末ケース。
【請求項１１】
前記ハウジング部材は、携帯端末のカメラ側を受容する凹部分の幅方向両外枠上に外部に突出する爪部材を有する、請求項１、３、５又は７に記載の携帯端末ケース。
【発明の詳細な説明】
【技術分野】
【０００１】
本発明は、内視鏡の接眼レンズ用のマウントを携帯端末のカメラに接続するための携帯端末ケース、および内視鏡接眼レンズ用のマウントを携帯端末のカメラに接続するために携帯端末から脱着自在な携帯端末用ケースの表面に固着する携帯端末ケース用アタッチメントに関するものである。
【背景技術】
【０００２】
内視鏡の１つに直視型内視鏡があり、その接眼レンズに通常ＣＣＤカメラを装着し、テレビモニターに映像を映し出して検査する。しかしながら、このような直視型内視鏡の場合、大型であり持ち運びが困難であるためベッドサイドや往診先に持ち運びできないという問題があった。
【０００３】
この問題を解決すべく近年、ＣＣＤカメラを内蔵した専用デバイスを直視内視鏡の接眼レンズに接続し、該デバイスから無線で汎用端末に画像送信し、閲覧する方法が登場したが、専用デバイスであるため非常に高額のものであり、所有医師数を拡大させる障害となっていた。
【０００４】
また、さらに一歩進んで接眼レンズに装着可能なアダプターを有する専用のスマートフォン用のケースを利用して、スマートフォンの画面で直接画像を見るものも開発されてきたが、スマートフォンが電話等の機能と兼用で医師が個人所有するものであるため検査時以外の時間はケースを外して使うことが所望される。しかしながら、該専用のケースはスマートフォンから外れ難いにくく、検査が1日複数回あるような場合にはその都度、脱着作業を要し、煩雑である。また、ケースは通常の樹脂製であると強度が弱いため頻繁な脱着により破損したり、スマートフォン自体が傷ついたりする可能性がある。
【０００５】
例えば、特許文献１では内視鏡を携帯電話のケースに滑り込ませてテレビ電話に結合するデバイスが開示されているが、このデバイスにおいてもケースの強度の問題に言及しておらず頻繁にケースを脱着する必要性を想定していない。また、特許文献２では、携帯電話機に装着する簡易型内視鏡が提唱されているが、この簡易型内視鏡は内視鏡の接眼レンズに吸盤、バネ付挟み具、鋼製スプリングなどで押し当てるだけの構造であり、破損しやすく検査中に外れてしまう可能性があった。また、特許文献２の簡易型内視鏡では、その接続部の固定が不十分であり、接眼レンズとスマートフォンのカメラの中心の位置決め精度が悪く、良質な画像を取得できない場合も考えられる。
【先行技術文献】
【特許文献】
【０００６】
【特許文献１】特表２００７−５０２６２７号公報
【特許文献２】実用新案登録第３１８４０５号公報
【発明の概要】
【発明が解決しようとする課題】
【０００７】
以上の事情に鑑みて本発明は創作されたものであり、本発明は、汎用のスマートフォンなどのカメラ付き携帯端末のカメラ機能を活用して安価、高品質で作業性の良い内視鏡（特に直視内視鏡）の画像を取得することができ、ベッドサイドでの内視鏡診断の拡大や医師学生等への普及を促進できる携帯端末用ケースや携帯端末ケース用アタッチメントを提供することを目的としている。
【課題を解決するための手段】
【０００８】
第一の本発明は、
内視鏡の接眼レンズ用のマウントを携帯端末のカメラに接続するための携帯端末ケースであって、
前記マウントのカメラ側端部を連結する筒状中空のシャフト部と、該シャフト部のカメラ側端部に結合され、前記カメラ用の孔を有する板状部材とを有するアタッチメントと、
少なくとも携帯端末のカメラ側の面を嵌合可能に覆って該面に前記アタッチメントの板状部材のカメラ側の面と固着させ、携帯端末から脱着自在なハウジング部とを備え、
前記ハウジング部にはカメラのレンズを露出させるための孔を有し、前記マウントを携帯端末ケースに取り付けた際に、内視鏡の接眼レンズの光軸と前記シャフトの中心軸と前記ハウジング部の孔の中心軸とカメラの光軸とが一致するように位置決めされる。
【０００９】
また、第二の本発明では、
内視鏡接眼レンズ用のマウントを携帯端末のカメラに接続するために携帯端末から脱着自在な携帯端末用ケースの表面に固着する携帯端末ケース用アタッチメントであって、
前記マウントのカメラ側端部を連結する筒状中空のシャフト部と、該シャフト部のカメラ側端部に結合される板状部材とを有するアタッチメントとを備え、
前記マウントを携帯端末用ケースに取り付けた際に、内視鏡の接眼レンズの光軸と前記シャフトの中心軸とカメラの光軸とが一致するように位置決めされる。
【００１０】
本発明の携帯端末ケースでは、医師等が元々所有しているカメラ付き携帯端末（特にスマートフォン）を画像取得装置として医師が十分に活用できるという検証をし、この検証事実を踏まえてベッドサイドでの作業時および通常の通話時の利便性、取得画像の鮮明さ、その結果である医療現場での拡散等を総合的に考慮してベストモードを社会提供しようとして開発した具現物として位置づけられる。
【００１１】
まず本発明で考慮したのは、内視鏡の接眼レンズに取り付けるマウントと汎用のスマートフォンとは別途の目的で提供されているものであり、両者を接続する部材が必要となる点である。すなわち、規格物であり形状が特定されるマウントに対して共通形状が多いと言えど形状特定ができない汎用のスマートフォンを適用できるようにしなければならない。ここで注目したのは汎用のスマートフォンでは通常の使用形態で種々の形状に対応する保護用のケースが取り付けられていることが常識化している点である。本発明では、既存技術として知られているこの保護用のケース（本発明のハウジング部）によりスマートフォン側の形状を特定し、これに規格物であり形状が特定されるマウントとを連結できるアタッチメントを装着することで形状が特定されるもの同士を連結することとして、汎用性を確保することとしている。そして、内視鏡からの画像を高品質でスマートフォンのカメラで取得できるように、アタッチメントの形状、固定強度を決定することで画像の品質性確保に大きく影響するカメラからマウントまでの位置決めを安定させ、ハウジング部の固定性および脱着性確保によるベッドサイド又は通常使用時の作業利便性を向上させている。
【００１２】
具体的に第一の本発明では、マウントを直接連結するアタッチメントとハウジング部とが一体となった携帯端末ケースが提供されている。この発明では、アタッチメントには、マウントを連結する筒状中空のシャフト部の端部に板状部材を設け、板状部材をスマートフォン等の保護ケース（ハウジング部）のカメラ用の孔の上に覆うように固定し、スマートフォンのカメラ側の面を通常の保護ケースのようにハウジング部に固定する。ハウジング部とアタッチメントは、作業時の負荷に耐えることができるようにある程度硬い素材（剛性素材が好ましい）で形成される。剛性素材で形成するため必然的にスマートフォンと嵌合的に組み合わせられる。ここで嵌合的に組み合わせるとは、一般樹脂等の柔らかい素材の撓みの力でフィットさせるようなものではなく、ある程度硬い素材のハウジング部をスマートフォンの共通形状に対応する形状にし、ビスやスナップ留めなどで組み合わせることを意味する。
【００１３】
さらに、マウントの中心軸とアタッチメントのシャフト部の中心軸とハウジング部のカメラ用の孔とカメラレンズの光軸とが一致するように構成されている。したがって、内視鏡の接眼レンズとカメラの光軸が一致し高品質の画像を取得できる。このことは上述したアタッチメントがアルミニウム、チタン、硬質プラスチック等の剛性素材、ハウジング部がスマートフォンに嵌合的に組み合わせることができる程度の硬い素材で形成されることで達成される。
【００１４】
また、第二の本発明も考え方は同じであるが、汎用のスマートフォンの保護ケースを用いる場合のアタッチメントとしての携帯端末ケース用アタッチメントが提供されている。
【００１５】
また、第一の本発明の携帯端末用ケースでは、
前記ハウジング部は、これを取付ける携帯端末のカメラ側の角からの突出部分を設け、
該突出部分は、前記アタッチメントを固定した際に、アタッチメントの板部材全体を担持可能となるように前記ハウジング部から円形の一部形状が突出する、ことが好ましく、
【００１６】
第二の本発明の携帯端末ケース用アタッチメントでは、
前記アタッチメントは、これを取付ける携帯端末用ケースの携帯端末のカメラ側の角からの突出部分を設け、
該突出部分は、前記アタッチメントを携帯端末用ケースに固定した際に、アタッチメントの板部材全体を担持可能となるように前記ハウジング部から円形の一部形状が突出する、ことが好ましい。
【００１７】
第一の本発明の携帯端末用ケース、第二の本発明の携帯端末ケース用アタッチメントともに、剛性素材のハウジング部やアタッチメントにマウント全体を担持し得るだけの領域を形成している。本発明者は、汎用のスマートフォンのカメラ位置とマウントの形状を検証したところマウントの一部がスマートフォンの隅から突出することがわかった。その一方、突出量はそれほど大きいものではなく、マウントと内視鏡とを装着した際の固定強度を確保するにはマウントの底面全体を担持できるような領域をハウジング部やアタッチメントに設ける必要があり、逆にこの領域を設けておけばスマートフォンから突出する部分があっても差し支えないことを知得した。その知得の結果、ここで好適な構成例が提供されている。
【００１８】
また、第一の本発明の携帯端末用ケースでは、
前記アタッチメントは、前記ハウジング部の幅方向の少なくとも1/3以上かつ長手方向の少なくとも1/4以上の領域で前記ハウジング部を当接している、ことが好ましく、
【００１９】
第二の本発明の携帯端末ケース用アタッチメントでは、
前記アタッチメントは、前記ハウジング部の幅方向の少なくとも1/3以上かつ長手方向の少なくとも1/4以上の領域で前記ハウジング部を当接している、ことが好ましい。
【００２０】
ハウジング部に対してアタッチメントをこの大きさの範囲内にするとスマートフォンの自重や医師の操作による負荷に起因するモーメントに対して十分に耐え、操作性も向上することが検証された。
【００２１】
また、第一の本発明の携帯端末用ケースでは、
前記ハウジング部材は、携帯端末のカメラ側を受容する凹部分を有する第一部材とその反対側を受容する凹部分を有する第二部材とで構成され、
該第一部材と第二部材とは、互いの凹部分を対向させた状態で携帯端末を挟み込んで嵌合的に結合させ、ても良く、
【００２２】
前記ハウジング部材は、携帯端末のカメラ側を受容する凹部分を有し、一端が該凹部分の底面に固着され、他端が前記凹部分の外枠を超えて幅方向外部まで延びる帯状部材を有し、ても良く、
【００２３】
前記ハウジング部材は、携帯端末のカメラ側を受容する凹部分の幅方向両外枠上に外部に突出する爪部材を有し、ても良い。
【００２４】
上記３つの例では、ハウジング部として、
１）２つの部材でスマートフォンを挟み込む、
２）ハウジング部の底部に外部まで延びるリボンを固着する
３）ハウジング部の両側に爪部材を取り付ける、
構成が例示されている。
【００２５】
１）の場合、スマートフォンをしっかりと挟みん込こんで固定するため強度が上がり、２）３）の場合、リボンや爪部材を引っ張りながらスマートフォンを取り外すことになり脱着性が良好となる。
【００２６】
なお、内視鏡接眼レンズへのマウントと第一の本発明の携帯端末用ケース、第二の本発明の携帯端末ケース用アタッチメントとの間に画像の拡大かつ／あるいは縮小機能、焦点調整機能、光量調整機能を具備し、ても良い。
【００２７】
さらに、第二の本発明の携帯端末ケース用アタッチメントは、可能な限り頑丈で脱着容易な任意の携帯端末用ケースを組み合わせたものを、携帯端末に装着することで、第一の本発明の携帯端末用ケースと同一概念のものが提供される。
【発明の効果】
【００２８】
本発明の携帯端末用ケースや携帯端末ケース用アタッチメントによれば、汎用のスマートフォンのカメラ機能を活用して安価、高品質で作業性の良い内視鏡（特に直視内視鏡）の画像を取得することができ、ベッドサイドでの内視鏡診断の拡大や医師学生等への普及を促進できる。
【図面の簡単な説明】
【００２９】
【図１】第二の本発明の内視鏡接眼レンズを取付けるための携帯端末ケース用アタッチメントが示され、（ａ）には携帯端末ケース用アタッチメントの平面図、（ｂ）には携帯端末ケース用アタッチメントの右側面図が示されている。
【図２】図１に示す携帯端末ケース用アタッチメントのシャフトの変形例として他のシャフトが示されており、（ａ）にはシャフトの平面図、（ｂ）にはシャフトの右側面図が示されている。
【図３】スマートフォン用ケースの裏側の斜視図である。
【図４】（ａ）に携帯端末ケースの第一部材の平面図、（ｂ）にスマートフォンの平面図、（ｃ）に携帯端末ケースの第二部材の平面図が示されている。
【図５】（ａ）に接眼レンズに取り付けるマウント、（ｂ）にはマウントと携帯端末ケースの第一部材とを連結するためのアタッチメントの平面図が示されている。
【図６】第一部材、第二部材、スマートフォン、マウント、アタッチメントの配列と組み立て方法示す右側面図を示している。
【図７】携帯端末ケースの斜視図が示されている。
【図８】図７の携帯端末ケースの変形例としての携帯端末ケースの斜視図が示されている。
【発明を実施するための形態】
【００３０】
以下、本発明の実施の形態について説明するが、説明の便宜上、内視鏡接眼レンズを取付けるための携帯端末ケース用アタッチメントである第二の本発明の実施形態を先に説明し、その後に内視鏡接眼レンズを取付けるための携帯端末ケースである第一の本発明の実施形態を説明する
【００３１】
図１〜図３を参照すると第二の本発明の内視鏡接眼レンズを取付けるための携帯端末ケース用アタッチメントが示されている。また、この携帯端末ケース用アタッチメントを取付ける携帯端末の一例としてのスマートフォン用ケース３が図３に示されている。スマートフォン用ケース３は裏側視で上方右側にカメラを配置したスマートフォンに使用できるものであれば汎用のもので差し支えない。また、図示はしていないが、スマートフォンの幅方向の正中付近にカメラが配置しているタイプのものであっても、アタッチメントを幅方向にずらして形状を少し設計変更することも可能である。カメラ位置は携帯端末の上方で幅方向にずれることがあり、それぞれのカメラ位置に合わせて設計変更可能である。
【００３２】
図１には、携帯端末ケース用アタッチメント１の一例が示されている。（ａ）には携帯端末ケース用アタッチメント１の平面図、（ｂ）には携帯端末ケース用アタッチメント１の右側面図が示されている。また、図２には図１に示す携帯端末ケース用アタッチメント１のシャフト２の変形例として他のシャフト１２が示されており、（ａ）にはシャフト１２の平面図、（ｂ）にはシャフト１２の右側面図が示されている。
【００３３】
携帯端末ケース用アタッチメント１は、一例として図３に示すような汎用形状のスマートフォン用ケース３に張り付ける。図３はスマートフォン用ケース３の裏側の斜視図であり、スマートフォン用ケース３は元々、スマートフォンに取り付けていた保護ケースを兼用しているが、破損防止のため硬い材質であることが望ましい。また、図１（ａ）の平面図の裏面をスマートフォン用ケース３の裏面５に接着剤等で固定する。このときスマートフォンのカメラと位置が合うように携帯端末ケース用アタッチメント１を裏面５に固定する必要がある。
【００３４】
携帯端末ケース用アタッチメント１は上方右側に厚み方向（図１（ａ）の紙面方向手前）に板部材７の表面から突出する筒状のシャフト２を備えている。シャフト２にはシャフト２と同軸に厚み方向に貫通する孔６が設けられている。また板部材７は、スマートフォン用ケース３の裏面５の上方右端の領域Ａを覆うものであり、スマートフォン用ケース３に張り付け等された際に板部材７が剥がれない強度を確保できる大きさ・形状であれば良い。
【００３５】
また、携帯端末ケース用アタッチメント１は、その右上角が他の角部分よりも大きく突出する半円形状８をしている。この半円形状８は内視鏡の接眼レンズを当接させ担持する板部分となるものであり、規格で定められた接眼レンズの径に合わせた径で構成される。図１の例では直視内視鏡の規格に応じてＲ１７５で形成されている。また、半円形状８の終端以降はそれぞれ水平方向（幅方向）、垂直方向（縦方向）に延びるエッジ９とエッジ１０とで形成される。
【００３６】
また、シャフト２の穴６の中心軸Ｏ１は、スマートフォンのカメラの焦点軸（光軸）Ｐと一致するように位置決め・固定されることが要求される。この例では、携帯端末ケース用アタッチメント１のエッジ９、１０をそれぞれスマートフォン用ケース３の幅方向のエッジ１１、エッジ１２に沿って合わせることで位置決めしている。このようにしてスマートフォン用ケース３に取り付けられた携帯端末ケース用アタッチメント１のシャフト２の外周側から内視鏡の接眼レンズのマウント（後述）を把持することで内視鏡の映像をそのままカメラでの出力映像として視認できる。
【００３７】
図１のシャフト２の変形例としてのシャフト１２では、図２に示すようにスマートフォン用ケース３側の径が小さくなっている。図２の例では、接眼レンズのマウント（後述）を把持させる把持部１２ａは図１のシャフト２と同様の径で構成され、スマートフォン用ケース３側の連結部１２ｂでは径が小さくなっている。シャフト１２の穴１６は、把持部１２ａと連結部１２ｂにわたって同一径で連結している。また、この例でも同様にシャフト１２の穴１６の中心軸Ｏ２は、スマートフォンのカメラの焦点軸Ｐと一致するように位置決め・固定されることが要求される。
【００３８】
次に、第一の本発明の内視鏡接眼レンズを取付けるための携帯端末ケースの第一の実施形態を説明する。図４では、（ａ）に携帯端末ケースの第一部材３０の平面図、（ｂ）にスマートフォン２０の平面図、（ｃ）に携帯端末ケースの第二部材４０の平面図が示されている。また、図５では、それぞれ（ａ）に接眼レンズに取り付けるマウント５０、（ｂ）にはマウント５０と携帯端末ケースの第一部材３０とを連結するためのアタッチメント６０（図１〜２の携帯端末ケース用アタッチメント１に相当）の平面図が示されている。さらに、図６では、第一部材３０、第二部材４０、スマートフォン２０、マウント５０、アタッチメント６０の配列と組み立て方法示す右側面図を示している。
【００３９】
第一部材３０と第二部材４０とは厚み方向両側からスマートフォン２０を挟み込むことでスマートフォン２０に装着される。第一部材３０と第二部材４０とはそれぞれ第一部材３０では図４（ａ）の表面側、第二部材４０では図４（ｃ）の表面側に、スマートフォン２０を受容する凹部分を有している。この凹部分はスマートフォン２０を縦方向および幅後方に隙間なく受容する形状を有している。第一部材３０と第二部材４０とはスマートフォン２０を挟み込んだ状態で互いに固定されるが、その固定はビス留めで行われる。具体的には、第一部材３０の四隅のビス孔３０ａ〜３０ｄと第二部材４０の四隅のビス孔４０ａ〜４０ｄを互いに覗く関係で合わせてビス１０１で連結する。なお、ここでは第一部材３０と第二部材４０とスマートフォン２０との固定強度を確保するために確実かつ十分なビス留めを例示しているが、強度確保に問題がない場合には所謂パチン留め（スナップ留め）を採用することも考えられる。また、図示はしていないが、第一部材３０と第二部材４０の片側（あるいは一部）を蝶番などの開動式（あるいは回動式）で固定し、反対側（あるいは他部位）を容易かつ確実に固定できる固定具を採用した形態であっても良い。
【００４０】
また、第一部材３０にはその上方左側（スマートフォン２０の裏面側から見ると上方右側）に図３と同様にスマートフォン２０のカメラレンズが覗く位置に孔３４が設けられている。また、その周囲には９０°ごとに４か所ビス孔３１が設けられている。
【００４１】
第一部材３０の裏面側には図５（ｂ）に示すアタッチメント６０が取り付けられる、アタッチメント６０は図１の携帯端末ケース用アタッチメント１と同様に内視鏡の接眼レンズ用のマウント６０と第一部材３０とを連結するために介挿される部材であり、図１の携帯端末ケース用アタッチメント１と同様に筒状で貫通孔６６を有するシャフト６２と、この下端で固定される貫通孔６６の中心Ｏ３と同心円の板部材６７と、で構成される。アタッチメント６０は、その貫通孔６６の中心Ｏ３と第一部材３０の孔３４の中心Ｐ１とが一致するように第一部材３０に位置決め・装着される。このときアタッチメント６０のビス孔６１が第一部材３のビス孔３１を覗いた状態でビス１０２で固定される（図６参照）。
【００４２】
また、アタッチメント６０のシャフト６２にはマウント５０が装着される。マウント５０はシャフト６２を軸方向（図６紙面左右方向）に受容し、シャフト６２の外周を挟み込むことでアタッチメント６０に取り付けられる。このとき内部の弾性体により復元可能でマウント５０の側部外周に設けられた爪部材５１を図５（ａ）の矢印方向につまむことでシャフト６２を受容可能とし、離して元に戻すことでシャフト６２を挟んで固定する。マウント５０がシャフト６２に固定されることでマウント５０の中心Ｗ１とアタッチメントの貫通孔６６の中心Ｏ３と第一部材３０の孔３４の中心Ｐ１とが合致する。
【００４３】
次に内視鏡接眼レンズを取付けるための携帯端末ケースの第二の実施形態を説明する。
図７は、図４〜図６の第一部材３０に相当する携帯端末ケース１３０の斜視図が例示されている。図７はその裏側が見えていないが、裏面には図４〜図６のアタッチメント６０と同様のアタッチメントがビス留又は接着剤で装着される。そして、アタッチメントにマウント５０が取り付けられる点も同様である。なお、図７〜図８では図４〜図６の例の第一部材３０に突出する部分に相当する部分を省略している。
【００４４】
携帯端末ケース１３０では、図４〜図６でスマートフォン２０を第一部材３０と第二部材４０とで挟み込む構造と異なり、図３のスマートフォン用ケース３を取付けるように携帯端末ケース１３０をスマートフォン２０に取り付ける。携帯端末ケース１３０はスマートフォン２０を隙間なく十分かつ高強度で固定できるものであれば他の形状・材質であれば良く、汎用のスマートフォン用ケース同様に種々のものが想定され、スライド方式でスマートフォンに装着する場合もある。しかしながら、図４〜図６のようにスマートフォン２０をビス留めするものではないため必然的に携帯端末ケース１３０に堅く取り付けられ、スマートフォンを通常使用するために携帯端末ケース１３０を取り外す際に簡単に取り外せない可能性がある。
【００４５】
このことを考慮し、図７の携帯端末ケース１３０では凹部分１３２の底部に帯状部材（リボン）１３１を取付けている。リボン１３１は、可撓性のある丈夫な材質であればよく、布製や樹脂製のものが考えられる。リボン１３１は幅方向に延びており、その一端１３１ａが凹部分１３２の底部の中央付近等に接着され、他端１３１ｂは枠１３０ａを超えて外部に垂れている。このリボン１３１を取付けた状態で携帯端末ケース１３０をスマートフォンに取り付けると、取り外しの際にリボン１３１の他端１３１ｂを厚み方向に引っ張りながらであれば携帯端末ケース１３０を容易に取り外すことができる。
【００４６】
また、図８は、図７の携帯端末ケース１３０の変形例としての携帯端末ケース２３０の斜視図が例示されている。携帯端末ケース２３０でも携帯端末ケース１３０と同様に、図４〜図６に示すようなスマートフォン２０に取り付られ、携帯端末ケース２３０をスマートフォン２０を隙間なく十分かつ高強度で固定できるものであれば他の形状・材質であれば良い。また、スマートフォン２０を通常使用するときに携帯端末ケース２３０を簡単に取り外せるようにする必要があることも同様である。
【００４７】
図８の例では、携帯端末ケース２３０の枠２３０ａの両側外向きに爪部材２３１を設けている。この爪部材２３１をスマートフォンを取り外す際に引っかけ代にして両外側に引っ張りながらスマートフォンを取り外すことになる。
【００４８】
以上が本発明の実施形態について種々例示してきたが、本発明はこれに限定されるものではなく、特許請求の範囲の記載および精神を逸脱しない範囲で他の実施形態が想定されることを当業者は容易に理解するであろう。
【符号の説明】
【００４９】
１  携帯端末ケース用アタッチメント
２、１２  シャフト
３  スマートフォン用ケース
５  裏面
６  孔
７  板部材
８  半円形状
９，１０，１１，１２  エッジ
１２ａ  把持部
１２ｂ  連結部
２０  スマートフォン
３０  第一部材
３０ａ〜３０ｄ  ビス孔
３１  ビス孔
３４  孔
４０  第二部材
４０ａ〜４０ｄ  のビス孔
５０  マウント
５１  爪部材
６０  アタッチメント
６１  ビス孔
６２  シャフト
６６  貫通孔
１０１、１０２  ビス
１３０、２３０  携帯端末ケース
１３２  凹部分
１３１  帯状部材（リボン）
２３１  爪部材
【図１】
2017176489.tif 000003
【図２】
2017176489.tif 000004
【図３】
2017176489.tif 000005
【図４】
2017176489.tif 000006
【図５】
2017176489.tif 000007
【図６】
2017176489.tif 000008
【図７】
2017176489.tif 000009
【図８】
2017176489.tif 000010